【手続補正書】
【提出日】平成16年1月23日(2004.1.23)
【手続補正１】
【補正対象書類名】明細書
【補正対象項目名】発明の名称
【補正方法】変更
【補正の内容】
【発明の名称】デジタルカラープリンタ及びデジタルカラープリントシステム


【手続補正２】
【補正対象書類名】明細書
【補正対象項目名】特許請求の範囲
【補正方法】変更
【補正の内容】
【特許請求の範囲】
【請求項１】
画像のイメージサイズが異なる複数種類の撮像装置と接続可能なデジタルカラープリンタであって、
上記撮像装置からのデジタル画像データを所定の通信手段を用いて入力する通信手段と、
上記通信手段により入力されたデジタル画像データの一部或いは全てを記憶する記憶手段と、
上記記憶手段に記憶されたデジタル画像データに所定の処理を施して印刷可能な印刷データに変換すると共に、全体の制御を司る制御手段と、
上記印刷データの印刷を指示するための指示手段と、
上記操作により得られた印刷データに基づいて所定の動作にて印刷を行う印刷手段と、
上記入力されたデジタル画像データに対応するイメージサイズを変更させるための操作手段と、
上記入力されたデジタル画像データに対応するイメージサイズを上記操作手段により所定の印刷サイズに対応したイメージサイズに変換する変換手段と、
を具備することを特徴するデジタルカラープリンタ。
【請求項２】
インデックス画像の入力を、上記通信手段により判別し、所定の印刷サイズに変換することを特徴とする請求項１に記載のデジタルカラープリンタ。
【請求項３】
上記デジタルカメラからの通信により印刷動作とパーソナルコンピュータからの印刷を識別することで動作制御を行うことを特徴とする請求項１に記載のデジタルカラープリンタ。
【請求項４】
上記印刷サイズは印刷精度又は入力画像のイメージサイズにより選択されることを特徴とする請求項１に記載のデジタルカラープリンタ。
【請求項５】
複数種類のイメージサイズに対応するデジタル画像データを記憶する記憶手段と、
上記記憶手段に記憶されたデジタル画像データに所定処理を施すと共に、全体の制御を司る制御手段と、
上記記憶手段に記憶されたデジタル画像データの中から表示すべき映像に係るデジタル画像データを選択する選択手段と、
上記選択手段により選択されたデジタル画像データに係る映像を上記処理手段により所定処理を施した後に表示する表示手段と、
上記記憶手段に記憶されたデジタル画像データ及び該デジタル画像データに対応するイメージサイズを識別するための識別信号を上記デジタルカラープリンタに送信するための第１の通信手段と、
を有するデジタルカメラと、
上記デジタルカメラからのデジタル画像データと識別信号を入力する第２の通信手段と、
上記第２の通信手段により入力されたデジタル画像データの一部或いは全てを記憶する記憶手段と、
上記記憶手段に記憶されたデジタル画像データに所定の処理を施して印刷可能なデータに変換すると共に、全体の制御を司る制御手段と、
上記印刷データの印刷を指示するための指示手段と、
上記通信手段により接続されたデジタルカメラから送られてくるデジタル画像データに対応するイメージサイズを判別する判別手段と、
上記入力された画像データに対応するイメージサイズを所定の印刷サイズに対応したイメージサイズに変換する変換手段と、
上記操作に得られた印刷データを所定の動作にて印刷を行う印刷手段と、
上記印刷手段により印刷される紙を搬送するための搬送手段と、
を有するデジタルカラープリンタと、
よりなることを特徴とするデジタルカラープリントシステム。
【請求項６】
上記デジタルカラープリンタは、インデックス画像の入力を、上記通信手段により判別し、所定の印刷サイズに変換することを特徴とする請求項５に記載のデジタルカラープリントシステム。
【請求項７】
上記デジタルカラープリンタは、デジタルカメラからの通信により印刷動作とパーソナルコンピュータからの印刷を識別することで動作制御を行うことを特徴とする請求項５に記載のデジタルカラープリントシステム。
【請求項８】
上記デジタルカラープリンタにて、印刷サイズは印刷精度又は入力画像のイメージサイズにより選択されることを特徴とする請求項５に記載のデジタルカラープリントシステム。
【請求項９】
被写体を撮像して映像信号として蓄積後該映像信号を再生可能な撮像装置と該撮像装置により再生された映像信号を受信して印刷可能なプリンタとからなる映像再生システムにおいて該プリンタ側で印刷される画像のイメージサイズが設定された後に該プリンタ側より該撮像装置側に印刷開始信号を送出することを特徴とするデジタルカラープリントシステム。
【請求項１０】
上記撮像装置に内蔵された表示素子に印刷対象となる画像の表示完了後、該画像信号が印刷のためにプリンタ側へ送出されることを特徴とする請求項９に記載のデジタルカラープリントシステム。
【手続補正３】
【補正対象書類名】明細書
【補正対象項目名】０００１
【補正方法】変更
【補正の内容】
【０００１】
【発明の属する技術分野】
本発明は、デジタル画像データに基づき印刷するデジタルカラープリンタ、及び上記デジタルカメラからデジタルカラープリンタに対して直接的に画像データを出力して印刷を行わせる場合に当該画像データに基づいて最適な印刷を実現するためのデジタルカラープリントシステムに関する。


【手続補正４】
【補正対象書類名】明細書
【補正対象項目名】０００６
【補正方法】変更
【補正の内容】
【０００６】
本発明は、上記問題点を鑑みてなされたもので、その目的とするところは、デジタルカメラにて撮影された映像のデジタル画像のイメージサイズに拘らず、印刷用紙のサイズに合わせて印刷を行わせる為の、デジタルカラープリンタ、及びこれらを用いたデジタルカラープリントシステムを提供することにある。


【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
第２の態様に係るデジタルカラープリンタは、上記第１の態様において、インデックス画像の入力を、上記通信手段により判別し、所定の印刷サイズに変換することを特徴とする。
第３の態様に係るデジタルカラープリンタは、上記第１の態様において、上記デジタルカメラからの通信により印刷動作とパーソナルコンピュータからの印刷を識別することで動作制御を行うことを特徴とする。
第４の態様に係るデジタルカラープリンタは、上記第１の態様において、上記印刷サイズは印刷精度又は入力画像のイメージサイズにより選択されることを特徴とする。
第５の態様に係るデジタルカラープリントシステムは、複数種類のイメージサイズに対応するデジタル画像データを記憶する記憶手段と、上記記憶手段に記憶されたデジタル画像データに所定処理を施すと共に、全体の制御を司る制御手段と、上記記憶手段に記憶されたデジタル画像データの中から表示すべき映像に係るデジタル画像データを選択する選択手段と、上記選択手段により選択されたデジタル画像データに係る映像を上記処理手段により所定処理を施した後に表示する表示手段と、上記記憶手段に記憶されたデジタル画像データ及び該デジタル画像データに対応するイメージサイズを識別するための識別信号を上記デジタルカラープリンタに送信するための第１の通信手段と、を有するデジタルカメラと、上記デジタルカメラからのデジタル画像データと識別信号を入力する第２の通信手段と、上記第２の通信手段により入力されたデジタル画像データの一部或いは全てを記憶する記憶手段と、上記記憶手段に記憶されたデジタル画像データに所定の処理を施して印刷可能なデータに変換すると共に、全体の制御を司る制御手段と、上記印刷データの印刷を指示するための指示手段と、上記通信手段により接続されたデジタルカメラから送られてくるデジタル画像データに対応するイメージサイズを判別する判別手段と、上記入力された画像データに対応するイメージサイズを所定の印刷サイズに対応したイメージサイズに変換する変換手段と、上記操作に得られた印刷データを所定の動作にて印刷を行う印刷手段と、上記印刷手段により印刷される紙を搬送するための搬送手段と、を有するデジタルカラープリンタと、よりなることを特徴とする。
第６の態様に係るデジタルカラープリントシステムは、上記第５の態様において、上記デジタルカラープリンタは、インデックス画像の入力を、上記通信手段により判別し、所定の印刷サイズに変換することを特徴とする。
第７の態様に係るデジタルカラープリントシステムは、上記第５の態様において、上記デジタルカラープリンタは、デジタルカメラからの通信により印刷動作とパーソナルコンピュータからの印刷を識別することで動作制御を行うことを特徴とする。
第８の態様に係るデジタルカラープリントシステムは、上記第５の態様において、上記デジタルカラープリンタにて、印刷サイズは印刷精度又は入力画像のイメージサイズにより選択されることを特徴とする。
第９の態様に係るデジタルカラープリントシステムは、被写体を撮像して映像信号として蓄積後該映像信号を再生可能な撮像装置と該撮像装置により再生された映像信号を受信して印刷可能なプリンタとからなる映像再生システムにおいて該プリンタ側で印刷される画像のイメージサイズが設定された後に該プリンタ側より該撮像装置側に印刷開始信号を送出することを特徴とする。
第１０の態様に係るデジタルカラープリントシステムは、上記第９の態様において、上記撮像装置に内蔵された表示素子に印刷対象となる画像の表示完了後、該画像信号が印刷のためにプリンタ側へ送出されることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
第２の態様に係るデジタルカラープリンタでは、上記第１の態様において、インデックス画像の入力が上記通信手段により判別され、所定の印刷サイズに変換される。
第３の態様に係るデジタルカラープリンタでは、上記第１の態様において、上記デジタルカメラからの通信により印刷動作とパーソナルコンピュータからの印刷を識別することで動作制御が行われる。
第４の態様に係るデジタルカラープリンタでは、上記第１の態様において、上記印刷サイズは印刷精度又は入力画像のイメージサイズにより選択される。
第５の態様に係るデジタルカラープリントシステムでは、デジタルカメラにおいて、記憶手段により複数種類のイメージサイズに対応するデジタル画像データが記憶され、制御手段により上記記憶手段に記憶されたデジタル画像データに所定処理が施されると共に、全体の制御が司られ、選択手段により上記記憶手段に記憶されたデジタル画像データの中から表示すべき映像に係るデジタル画像データが選択され、上記選択手段により選択されたデジタル画像データに係る映像が上記処理手段により所定処理が施された後に表示手段に表示され、第１の通信手段により上記記憶手段に記憶されたデジタル画像データ及び該デジタル画像データに対応するイメージサイズを識別するための識別信号が上記デジタルカラープリンタに送信される。デジタルカラープリンタにおいて、第２の通信手段により上記デジタルカメラからのデジタル画像データと識別信号が入力され、記憶手段により上記第２の通信手段により入力されたデジタル画像データの一部或いは全てが記憶され、制御手段により上記記憶手段に記憶されたデジタル画像データに所定の処理が施されて印刷可能なデータに変換されると共に、全体の制御が司られ、指示手段により上記印刷データの印刷が指示され、判別手段により上記通信手段により接続されたデジタルカメラから送られてくるデジタル画像データに対応するイメージサイズが判別され、変換手段により上記入力された画像データに対応するイメージサイズが所定の印刷サイズに対応したイメージサイズに変換され、印刷手段により上記操作に得られた印刷データが所定の動作にて印刷が行われ、搬送手段により上記印刷手段により印刷される紙が搬送される。
第６の態様に係るデジタルカラープリントシステムでは、上記第５の態様において、上記デジタルカラープリンタにて、インデックス画像の入力が上記通信手段により判別され、所定の印刷サイズに変換される。
第７の態様に係るデジタルカラープリントシステムでは、上記第５の態様において、上記デジタルカラープリンタにて、デジタルカメラからの通信により印刷動作とパーソナルコンピュータからの印刷が識別されることで動作制御が行われる。
第８の態様に係るデジタルカラープリントシステムでは、上記第５の態様において、上記デジタルカラープリンタにて、印刷サイズは印刷精度又は入力画像のイメージサイズにより選択される。
第９の態様に係るデジタルカラープリントシステムは、撮像装置にて被写体が撮像されて映像信号として蓄積された後に該映像信号が出力され、プリンタにて該撮像装置により再生された映像信号が受信されて印刷され、特にプリンタ側で印刷される画像のイメージサイズが設定された後に該プリンタ側より該撮像装置側に印刷開始信号が送出される。
第１０の態様に係るデジタルカラープリントシステムでは、上記第９の態様において、上記撮像装置に内蔵された表示素子に印刷対象となる画像の表示完了後、該画像信号が印刷のためにプリンタ側へ送出される。
【手続補正９】
【補正対象書類名】明細書
【補正対象項目名】００５５
【補正方法】変更
【補正の内容】
【００５５】
これによれば、印刷時の画像のイメージサイズが設定された後に印刷を開始するので誤って希望しないサイズの印刷をしてしまうことを防止できる。
（１２）上記撮像装置に内蔵された表示素子に印刷対象となる画像の表示完了後、該画像信号が印刷のためにプリンタ側へ送出されることを特徴とする上記（１１）に記載のデジタルカラープリントシステム。
これによれば、印刷対象となる画像を完全に確認できた後でプリント可能となるのでミスプリントを防止することができる。
（１３）被写体を撮像して得られた撮像信号をデジタル画像データに変換する撮像手段と、上記デジタル画像データを記憶する記憶手段と、上記記憶手段に記憶されたデジタル画像データに所定処理を施すと共に、全体の制御を司る制御手段と、上記記憶手段に記憶されたデジタル画像データの中から表示すべき映像に係るデジタル画像データを選択する選択手段と、上記選択手段により選択されたデジタル画像データに係る映像を上記処理手段により所定処理を施した後に表示する表示手段と、上記記憶手段に記憶されたデジタル画像データを外部機器に出力する通信手段と、を有し、上記通信手段より識別可能な識別信号を発生する機能を有するデジタルカメラ。
即ち、このデジタルカメラでは、撮像手段により被写体を撮像して得られた撮像信号がデジタル画像データに変換され、記憶手段により上記デジタル画像データが記憶され、制御手段により上記記憶手段に記憶されたデジタル画像データに所定処理が施されると共に、全体の制御が司られ、選択手段により上記記憶手段に記憶されたデジタル画像データの中から表示すべき映像に係るデジタル画像データが選択され、表示手段により上記選択手段により選択されたデジタル画像データに係る映像が上記処理手段により所定処理が施された後に表示され、通信手段により上記記憶手段に記憶されたデジタル画像データが外部機器に出力され、上記通信手段より識別可能な識別信号が発生される。
【手続補正１０】
【補正対象書類名】明細書
【補正対象項目名】００５６
【補正方法】変更
【補正の内容】
【００５６】
以上詳述したように、本発明によれば、種々のデジタルカメラからの種々の画像のイメージサイズに対応する画像データを用いて、当該画像をパソコンなどの情報処理装置を介することなく簡単な操作で直接印刷することができ、且つ常に一定の印刷サイズで出力することを可能とするデジタルカラープリンタ、及びこれらを用いたデジタルカラープリントシステムを提供することができる。